【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
ユーザ機器(UE)のためのワイヤレス通信のための方法であって、
第1の連続的なアップリンク送信継続時間を有する狭帯域時分割複信(TDD)フレーム構造と関連付けられる情報を受信するステップと、
前記第1の連続的なアップリンク送信継続時間の中の第1の数のスロットを備えるアップリンク送信の第1の部分を送信するステップとを備え、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、方法。
【請求項２】
前記アップリンク送信の前記第1の部分が、前記第1の連続的なアップリンク送信継続時間に収まるだけの数のフルスロットを使用して送信される、請求項1に記載の方法。
【請求項３】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項1に記載の方法。
【請求項４】
前記第1の連続的なアップリンク送信継続時間において前記アップリンク送信の前記第1の部分を送信する前記ステップが、
送信の総継続時間が前記第1の連続的なアップリンク送信継続時間より短くなるように、前記第1の数のスロットの第1のスロットの中のすべてのシンボルおよび前記第1の数のスロットの第2のスロットの中のシンボルの第1のサブセットを使用して前記アップリンク送信の前記第1の部分を送信するステップを備える、請求項1に記載の方法。
【請求項５】
前記第1の連続的なアップリンク送信継続時間の中の送信されるシンボルおよび使用されないシンボルの総数に基づいて、前記第1の連続的なアップリンク送信継続時間の中の前記アップリンク送信の前記第1の部分をレートマッチングするステップをさらに備え、シンボルのサブセットのみが送信されるスロットの中のあらゆる使用されないシンボルがパンクチャリングされる、請求項4に記載の方法。
【請求項６】
前記第1のスロットの中のシンボルの総数および前記第2のスロットの中のシンボルの前記第1のサブセットに基づいて、前記第1の連続的なアップリンク送信継続時間の中の前記アップリンク送信の前記第1の部分をレートマッチングするステップをさらに備え、前記第2のスロットの中のシンボルの前記第1のサブセットが、アップリンク送信に利用可能なシンボルに対応する、請求項4に記載の方法。
【請求項７】
シンボルのサブセットのみが送信されるスロットに対して、送信されるシンボルの数に基づいてパイロットパターンが選択される、請求項4に記載の方法。
【請求項８】
シンボルのサブセットのみが送信される前記スロットに対応する前記パイロットパターンが、あらゆる使用されないシンボル上のフルスロットのための前記パイロットパターンをパンクチャリングすることによって取得される、請求項7に記載の方法。
【請求項９】
シンボルのサブセットのみが前記第1の連続的なアップリンク送信継続時間において送信される前記スロットの前記使用されないシンボルから開始する第2の連続的なアップリンク送信継続時間において、前記アップリンク送信の第2の部分を送信するステップをさらに備える、請求項5に記載の方法。
【請求項１０】
第2の数のスロットの第3のスロットの中のすべてのシンボルを使用して前記アップリンク送信の第2の部分を送信するステップをさらに備え、シンボルのサブセットのみが前記第1の連続的なアップリンク送信継続時間において送信される前記スロットのあらゆる使用されないシンボルがパンクチャリングされる、請求項5に記載の方法。
【請求項１１】
前記第1の連続的なアップリンク送信継続時間および第2の連続的なアップリンク送信継続時間が、同じ無線フレームの中に配置される、請求項1に記載の方法。
【請求項１２】
前記第1の連続的なアップリンク送信継続時間および第2の連続的なアップリンク送信継続時間が、異なる無線フレームの中に配置される、請求項1に記載の方法。
【請求項１３】
ユーザ機器(UE)のためのワイヤレス通信のための装置であって、
第1の連続的なアップリンク送信継続時間を有する狭帯域時分割複信(TDD)フレーム構造と関連付けられる情報を受信するための手段と、
前記第1の連続的なアップリンク送信継続時間の中の第1の数のスロットを備えるアップリンク送信の第1の部分を送信するための手段とを備え、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、装置。
【請求項１４】
前記アップリンク送信の前記第1の部分が、前記第1の連続的なアップリンク送信継続時間に収まるだけの数のフルスロットを使用して送信される、請求項13に記載の装置。
【請求項１５】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項13に記載の装置。
【請求項１６】
前記第1の連続的なアップリンク送信継続時間において前記アップリンク送信の前記第1の部分を送信するための前記手段が、
送信の総継続時間が前記第1の連続的なアップリンク送信継続時間より短くなるように、前記第1の数のスロットの第1のスロットの中のすべてのシンボルおよび前記第1の数のスロットの第2のスロットの中のシンボルの第1のサブセットを使用して前記アップリンク送信の前記第1の部分を送信するように構成される、請求項13に記載の装置。
【請求項１７】
前記第1の連続的なアップリンク送信継続時間の中の送信されるシンボルおよび使用されないシンボルの総数に基づいて、前記第1の連続的なアップリンク送信継続時間の中の前記アップリンク送信の前記第1の部分をレートマッチングするための手段をさらに備え、シンボルのサブセットのみが送信されるスロットの中のあらゆる使用されないシンボルがパンクチャリングされる、請求項16に記載の装置。
【請求項１８】
前記第1のスロットの中のシンボルの総数および前記第2のスロットの中のシンボルの前記第1のサブセットに基づいて、前記第1の連続的なアップリンク継続時間の中の前記アップリンク送信の前記第1の部分をレートマッチングするための手段をさらに備え、前記第2のスロットの中のシンボルの前記第1のサブセットが、アップリンク送信に利用可能なシンボルに対応する、請求項16に記載の装置。
【請求項１９】
シンボルのサブセットのみが送信されるスロットに対して、送信されるシンボルの数に基づいてパイロットパターンが選択される、請求項16に記載の装置。
【請求項２０】
シンボルのサブセットのみが送信される前記スロットに対応する前記パイロットパターンが、あらゆる使用されないシンボル上のフルスロットのための前記パイロットパターンをパンクチャリングすることによって取得される、請求項19に記載の装置。
【請求項２１】
シンボルのサブセットのみが前記第1の連続的なアップリンク送信継続時間において送信される前記スロットの前記使用されないシンボルから開始する第2の連続的なアップリンク送信継続時間において、前記アップリンク送信の第2の部分を送信するための手段をさらに備える、請求項17に記載の装置。
【請求項２２】
第2の数のスロットの第3のスロットの中のすべてのシンボルを使用して前記アップリンク送信の第2の部分を送信するための手段をさらに備え、シンボルのサブセットのみが前記第1の連続的なアップリンク送信継続時間において送信される前記スロットのあらゆる使用されないシンボルがパンクチャリングされる、請求項17に記載の装置。
【請求項２３】
前記第1の連続的なアップリンク送信継続時間および第2の連続的なアップリンク送信継続時間が、同じ無線フレームの中に配置される、請求項13に記載の装置。
【請求項２４】
前記第1の連続的なアップリンク送信継続時間および第2の連続的なアップリンク送信継続時間が、異なる無線フレームの中に配置される、請求項13に記載の装置。
【請求項２５】
ユーザ機器(UE)のためのワイヤレス通信のための装置であって、
メモリと、
前記メモリに結合された少なくとも1つのプロセッサとを備え、前記プロセッサが、
第1の連続的なアップリンク送信継続時間を有する狭帯域時分割複信(TDD)フレーム構造と関連付けられる情報を受信し、
前記第1の連続的なアップリンク送信継続時間の中の第1の数のスロットを備えるアップリンク送信の第1の部分を送信する
ように構成され、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、装置。
【請求項２６】
前記アップリンク送信の前記第1の部分が、前記第1の連続的なアップリンク送信継続時間に収まるだけの数のフルスロットを使用して送信される、請求項25に記載の装置。
【請求項２７】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項25に記載の装置。
【請求項２８】
前記少なくとも1つのプロセッサが、
送信の総継続時間が前記第1の連続的なアップリンク送信継続時間より短くなるように、前記第1の数のスロットの第1のスロットの中のすべてのシンボルおよび前記第1の数のスロットの第2のスロットの中のシンボルの第1のサブセットを使用して前記アップリンク送信の前記第1の部分を送信する
ことによって、前記第1の連続的なアップリンク送信継続時間において前記アップリンク送信の前記第1の部分を送信するように構成される、請求項25に記載の装置。
【請求項２９】
前記少なくとも1つのプロセッサがさらに、
前記第1の連続的なアップリンク送信継続時間の中の送信されるシンボルおよび使用されないシンボルの総数に基づいて、前記第1の連続的なアップリンク送信継続時間の中の前記アップリンク送信の前記第1の部分をレートマッチングする
ように構成され、シンボルのサブセットのみが送信されるスロットの中のあらゆる使用されないシンボルがパンクチャリングされる、請求項28に記載の装置。
【請求項３０】
前記少なくとも1つのプロセッサがさらに、
前記第1のスロットの中のシンボルの総数および前記第2のスロットの中のシンボルの前記第1のサブセットに基づいて、前記第1の連続的なアップリンク継続時間の中の前記アップリンク送信の前記第1の部分をレートマッチングする
ように構成され、前記第2のスロットの中のシンボルの前記第1のサブセットが、アップリンク送信に利用可能なシンボルに対応する、請求項28に記載の装置。
【請求項３１】
シンボルのサブセットのみが送信されるスロットに対して、送信されるシンボルの数に基づいてパイロットパターンが選択される、請求項28に記載の装置。
【請求項３２】
シンボルのサブセットのみが送信される前記スロットに対応する前記パイロットパターンが、あらゆる使用されないシンボル上のフルスロットのための前記パイロットパターンをパンクチャリングすることによって取得される、請求項31に記載の装置。
【請求項３３】
前記少なくとも1つのプロセッサがさらに、
シンボルのサブセットのみが前記第1の連続的なアップリンク送信継続時間において送信される前記スロットの前記使用されないシンボルから開始する第2の連続的なアップリンク送信継続時間において、前記アップリンク送信の前記第2の部分を送信するように構成される、請求項29に記載の装置。
【請求項３４】
前記少なくとも1つのプロセッサがさらに、
第2の数のスロットの第3のスロットの中のすべてのシンボルを使用して前記アップリンク送信の第2の部分を送信する
ように構成され、シンボルのサブセットのみが前記第1の連続的なアップリンク送信継続時間において送信される前記スロットのあらゆる使用されないシンボルがパンクチャリングされる、請求項29に記載の装置。
【請求項３５】
前記第1の連続的なアップリンク送信継続時間および第2の連続的なアップリンク送信継続時間が、同じ無線フレームの中に配置される、請求項25に記載の装置。
【請求項３６】
前記第1の連続的なアップリンク送信継続時間および第2の連続的なアップリンク送信継続時間が、異なる無線フレームの中に配置される、請求項25に記載の装置。
【請求項３７】
ユーザ機器(UE)のためのコンピュータ実行可能コードを記憶するコンピュータ可読記憶媒体であって、
第1の連続的なアップリンク送信継続時間を有する狭帯域時分割複信(TDD)フレーム構造と関連付けられる情報を受信し、
前記第1の連続的なアップリンク送信継続時間の中の第1の数のスロットを備えるアップリンク送信の第1の部分を送信する
ためのコードを備え、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、コンピュータ可読記憶媒体。
【請求項３８】
前記アップリンク送信の前記第1の部分が、前記第1の連続的なアップリンク送信継続時間に収まるだけの数のフルスロットを使用して送信される、請求項37に記載のコンピュータ可読記憶媒体。
【請求項３９】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項37に記載のコンピュータ可読記憶媒体。
【請求項４０】
前記第1の連続的なアップリンク送信継続時間において前記アップリンク送信の前記第1の部分を送信するための前記コードが、
送信の総継続時間が前記第1の連続的なアップリンク送信継続時間より短くなるように、前記第1の数のスロットの第1のスロットの中のすべてのシンボルおよび前記第1の数のスロットの第2のスロットの中のシンボルの第1のサブセットを使用して前記アップリンク送信の前記第1の部分を送信するように構成される、請求項37に記載のコンピュータ可読記憶媒体。
【請求項４１】
前記第1の連続的なアップリンク送信継続時間の中の送信されるシンボルおよび使用されないシンボルの総数に基づいて、前記第1の連続的なアップリンク送信継続時間の中の前記アップリンク送信の前記第1の部分をレートマッチングする
ためのコードをさらに備え、シンボルのサブセットのみが送信されるスロットの中のあらゆる使用されないシンボルがパンクチャリングされる、請求項40に記載のコンピュータ可読記憶媒体。
【請求項４２】
前記第1のスロットの中のシンボルの総数および前記第2のスロットの中のシンボルの前記第1のサブセットに基づいて、前記第1の連続的なアップリンク送信継続時間の中の前記アップリンク送信の前記第1の部分をレートマッチングする
ためのコードをさらに備え、前記第2のスロットの中のシンボルの前記第1のサブセットが、アップリンク送信に利用可能なシンボルに対応する、請求項40に記載のコンピュータ可読記憶媒体。
【請求項４３】
シンボルのサブセットのみが送信されるスロットに対して、送信されるシンボルの数に基づいてパイロットパターンが選択される、請求項40に記載のコンピュータ可読記憶媒体。
【請求項４４】
シンボルのサブセットのみが送信される前記スロットに対応する前記パイロットパターンが、あらゆる使用されないシンボル上のフルスロットのための前記パイロットパターンをパンクチャリングすることによって取得される、請求項43に記載のコンピュータ可読記憶媒体。
【請求項４５】
シンボルのサブセットのみが前記第1の連続的なアップリンク送信継続時間において送信される前記スロットの前記使用されないシンボルから開始する第2の連続的なアップリンク送信継続時間において、前記アップリンク送信の第2の部分を送信するためのコードをさらに備える、請求項41に記載のコンピュータ可読記憶媒体。
【請求項４６】
第2の数のスロットの第3のスロットの中のすべてのシンボルを使用して前記アップリンク送信の第2の部分を送信する
ためのコードをさらに備え、シンボルのサブセットのみが前記第1の連続的なアップリンク送信継続時間において送信される前記スロットのあらゆる使用されないシンボルがパンクチャリングされる、請求項41に記載のコンピュータ可読記憶媒体。
【請求項４７】
前記第1の連続的なアップリンク送信継続時間および第2の連続的なアップリンク送信継続時間が、同じ無線フレームの中に配置される、請求項37に記載のコンピュータ可読記憶媒体。
【請求項４８】
前記第1の連続的なアップリンク送信継続時間および第2の連続的なアップリンク送信継続時間が、異なる無線フレームの中に配置される、請求項37に記載のコンピュータ可読記憶媒体。
【請求項４９】
基地局のためのワイヤレス通信のための方法であって、
第1の連続的なアップリンク送信継続時間を有する狭帯域時分割複信(TDD)フレーム構造と関連付けられる情報を送信するステップと、
前記第1の連続的なアップリンク送信継続時間の中の第1の数のスロットを備えるアップリンク送信の第1の部分を受信するステップとを備え、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、方法。
【請求項５０】
前記アップリンク送信の前記第1の部分が、前記第1の連続的なアップリンク送信継続時間に収まるだけの数のフルスロットを使用して受信される、請求項49に記載の方法。
【請求項５１】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項49に記載の方法。
【請求項５２】
基地局のためのワイヤレス通信のための装置であって、
第1の連続的なアップリンク送信継続時間を有する狭帯域時分割複信(TDD)フレーム構造と関連付けられる情報を送信するための手段と、
前記第1の連続的なアップリンク送信継続時間の中の第1の数のスロットを備えるアップリンク送信の第1の部分を受信するための手段とを備え、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、装置。
【請求項５３】
前記アップリンク送信の前記第1の部分が、前記第1の連続的なアップリンク送信継続時間に収まるだけの数のフルスロットを使用して受信される、請求項52に記載の装置。
【請求項５４】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項52に記載の装置。
【請求項５５】
基地局のためのワイヤレス通信のための装置であって、
メモリと、
前記メモリに結合された少なくとも1つのプロセッサとを備え、前記プロセッサが、
第1の連続的なアップリンク送信継続時間を有する狭帯域時分割複信(TDD)フレーム構造と関連付けられる情報を送信し、
前記第1の連続的なアップリンク送信継続時間の中の第1の数のスロットを備えるアップリンク送信の第1の部分を受信する
ように構成され、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、装置。
【請求項５６】
前記アップリンク送信の前記第1の部分が、前記第1の連続的なアップリンク送信継続時間に収まるだけの数のフルスロットを使用して受信される、請求項55に記載の装置。
【請求項５７】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項55に記載の装置。
【請求項５８】
基地局のためのコンピュータ実行可能コードを記憶するコンピュータ可読記憶媒体であって、
第1の連続的なアップリンク送信継続時間を有する狭帯域時分割複信(TDD)フレーム構造と関連付けられる情報を送信し、
前記第1の連続的なアップリンク送信継続時間の中の第1の数のスロットを備えるアップリンク送信の第1の部分を受信する
ためのコードを備え、
前記狭帯域TDDフレーム構造と関連付けられるサブキャリア間隔が15kHzであるとき、フルスロットが7個の直交周波数分割多重化(OFDM)シンボルを含み、長さが0.5ミリ秒(ms)であり、
前記狭帯域TDDフレーム構造と関連付けられる前記サブキャリア間隔が3.75kHzであるとき、フルスロットが7個のOFDMシンボルを含み、長さが2msであり、
前記アップリンク送信が前記第1の連続的なアップリンク送信継続時間より長い継続時間を有し、前記アップリンク送信が第2の部分を含み、前記アップリンク送信の前記第1の部分および前記第2の部分がダウンリンク送信によって離隔される、コンピュータ可読記憶媒体。
【請求項５９】
前記アップリンク送信の前記第1の部分が、前記第1の連続的なアップリンク送信継続時間に収まるだけの数のフルスロットを使用して受信される、請求項58に記載のコンピュータ可読記憶媒体。
【請求項６０】
スロットを構成する直交周波数分割多重化(OFDM)シンボルの数が、サブキャリア間隔が短縮するにつれてスロットを構成するOFDMシンボルの前記数が減少するように、前記サブキャリア間隔に依存する、請求項58に記載のコンピュータ可読記憶媒体。